(57)【特許請求の範囲】
【請求項１】
金網からなる蛇篭同士を相互に連結するための連結装置であって、
前記連結装置は、金網で形成された連結部材を有し、該連結部材は、前後又は左右に隣接する蛇篭を跨ぐように該蛇篭の金網外面に沿って配設され、該連結部材の一端側と他端側とが一方の蛇篭の金網と他方の蛇篭の金網とにそれぞれ連結されている、
ことを特徴とする蛇篭用連結装置。
【請求項２】
前記蛇篭は、矩形状をなす底面の金網パネルと、矩形状をなす前面及び後面の金網パネルと、矩形状をなす左面及び右面の金網パネルと、矩形状をなす上面の金網パネルとを有する角形の蛇篭であり、
前記連結部材は、矩形状をなし、前記蛇篭の底面、前面、後面、左面、右面、上面のうち少なくとも１つの面について、隣接する蛇篭の金網パネル同士を相互に連結している、
ことを特徴とする請求項１に記載の蛇篭用連結装置。
【請求項３】
前記蛇篭は菱形金網により形成され、該菱形金網は、針金を扁平螺旋状に折曲して形成した列線の折曲部同士を順次連繋することにより形成され、前記連結部材は、針金を扁平螺旋状に折曲して形成した連結線条の折曲部を順次連繋することにより菱形金網状に形成されていることを特徴とする請求項１又は２に記載の蛇篭用連結装置。
【請求項４】
前記蛇篭は菱形金網により形成され、該菱形金網は、針金を扁平螺旋状に折曲して形成した列線の折曲部同士を順次連繋することにより形成され、前記連結部材は、直交する縦線と横線との交点を溶接して形成した溶接金網で構成されていることを特徴とする請求項１又は２に記載の蛇篭用連結装置。
【請求項５】
前記連結部材は、前記連結線条を前記蛇篭の列線と同じ方向に向けた姿勢で配設されていることを特徴とする請求項３に記載の蛇篭用連結装置。
【請求項６】
前記蛇篭は、菱形金網により形成された円筒形の蛇篭であり、前記連結部材は、菱形金網により矩形状に形成され、前記蛇篭の円筒形状に合わせて折り曲げられていることを特徴とする請求項１に記載の蛇篭用連結装置。
【発明の詳細な説明】
【技術分野】
【０００１】
本発明は、隣接して配置された蛇篭を相互に連結するための連結装置に関するものである。
【背景技術】
【０００２】
例えば特許文献１に記載されているように、海岸、河岸、湖岸等の岸辺に護岸壁を構築したり、傾斜地の法面に補強壁を構築したりする場合に、一般に角形や円筒形をした蛇篭が使用される。このうち角形の蛇篭は、菱形金網によって四角い容器形形成され、内部に栗石を充填した状態で岸辺や法面に沿って前後、左右に並べたり、上下に段積したりすることにより、前記護岸壁や補強壁等の擁壁が構築されるものである。その際、蛇篭の位置ずれを防止して前記擁壁の強度を高めるため、隣接する蛇篭同士を適宜の方法で互いに連結している。
【０００３】
前記蛇篭同士の連結は、一般に、該蛇篭の縁に取り付けられている枠線同士を針金で結束するか、側面網における菱形金網の列線同士を針金で結束するなどの方法により行われている。
【０００４】
しかし、このように針金で枠線同士あるいは列線同士を結束する方法は、この針金を蛇篭の網目に挿通して前記枠線や列線に巻き付けることにより行わなければならないため、作業が面倒で手間がかかる。しかも、石詰めすることで大重量化した蛇篭相互間に相対的に位置ずれする方向の力が作用した場合に、前記針金で結束した枠線や列線に強大な力が局部的に作用し、該枠線や列線が大きく変形したり破断したりして蛇篭の損傷を招きやすい。これは、円筒形の蛇篭の場合でも同様である。
【先行技術文献】
【特許文献】
【０００５】
【特許文献１】特開平１０−１８２９５号公報
【発明の概要】
【発明が解決しようとする課題】
【０００６】
本発明の技術的課題は、隣接して配設された金網製の蛇篭同士を、簡単且つ強固に連結することができる連結装置を提供することにある。
【課題を解決するための手段】
【０００７】
前記課題を解決するため、本発明によれば、金網からなる蛇篭同士を相互に連結するための連結装置であって、前記連結装置は、金網で形成された連結部材を有し、該連結部材は、前後又は左右に隣接する蛇篭を跨ぐように該蛇篭の金網外面に沿って配設され、該連結部材の一端側と他端側とが一方の蛇篭の金網と他方の蛇篭の金網とにそれぞれ連結されていることを特徴とする蛇篭用連結装置が提供される。
【０００８】
本発明の一つの具体的な構成態様によれば、前記蛇篭が、矩形状をなす底面の金網パネルと、矩形状をなす前面及び後面の金網パネルと、矩形状をなす左面及び右面の金網パネルと、矩形状をなす上面の金網パネルとを有する角形の蛇篭であり、前記連結部材は、矩形状をなし、前記蛇篭の底面、前面、後面、左面、右面、上面のうち少なくとも１つの面について、隣接する蛇篭の金網パネル同士を相互に連結している。
この場合に好ましくは、前記蛇篭が菱形金網により形成され、該菱形金網は、針金を扁平螺旋状に折曲して形成した列線の折曲部同士を順次連繋することにより形成され、前記連結部材は、針金を扁平螺旋状に折曲して形成した連結線条の折曲部を順次連繋することにより菱形金網状に形成されていることである。
この場合に前記連結部材は、前記連結線条を前記蛇篭の列線と同じ方向に向けた姿勢で配設されていることが望ましい。
また、前記連結部材は、直交する縦線と横線との交点を溶接して形成した溶接金網で構成されていても良い。
【０００９】
本発明の他の具体的な構成態様によれば、前記蛇篭は、菱形金網により形成された円筒形の蛇篭であり、前記連結部材は、菱形金網により矩形状に形成され、前記蛇篭の円筒形状に合わせて折り曲げられている。
【発明の効果】
【００１０】
本発明の連結装置によれば、金網で形成された連結部材を、隣接する蛇篭を跨ぐように配設して各蛇篭に固定するだけで、隣接する蛇篭同士を簡単且つ強固に連結することができる。
【図面の簡単な説明】
【００１１】
【図１】本発明に係る蛇篭用連結装置の一実施形態を示す斜視図である。
【図２】図１の分解図である。
【図３】連結部材の異なる取付例を示す斜視図である。
【図４】図３の要部拡大図である。
【図５】連結部材の異なる構成例を示す正面図である。
【発明を実施するための形態】
【００１２】
図１及び図２は本発明に係る蛇篭用連結装置の第１実施形態を示すもので、この連結装置１Ａは、菱形金網からなる複数の連結部材２ａ，２ｂ，２ｃ，２ｄを有し、この連結部材で、隣接して配置された菱形金網製の蛇篭３，３の隣接する底面同士、前面同士、後面同士、及び上面同士をそれぞれ連結するものである。
【００１３】
前記蛇篭３は、底面の金網パネル３ａと、該底面の金網パネル３ａの前後に配置された前面及び後面の金網パネル３ｂ，３ｃと、前記底面の金網パネル３ａの左右に配置された左面及び右面の金網パネル３ｄ，３ｅと、上面の金網パネル３ｆとからなる角形の蛇篭３であって、前記金網パネル３ａ，３ｂ，３ｃ，３ｄ，３ｅ，３ｆは全て矩形状をなし、前記前面及び後面の金網パネル３ｂ，３ｃ間を結ぶ前後方向の長さ即ち前後長Ｙより、左面及び右面の金網パネル３ｄ，３ｅ間を結ぶ左右方向の長さ即ち左右長Ｘの方が長い長方形の箱形に形成されている。そして、内部に骨材としての栗石（不図示）を充填した状態で護岸壁の構築現場や法面補強壁の構築現場等に設置されるものである。
【００１４】
しかし、前記蛇篭３の前後長Ｙと左右長Ｘとの大小関係は前記の場合と逆であっても良く、前後長Ｙと左右長Ｘとが等しくても構わない。また、以下の説明においては、前記蛇籠の高さ方向即ち上下方向の長さを「上下長」という。
なお、蛇篭３の設置条件等により、前記上面の金網パネル３ｆは設けられないこともあるが、本実施形態では、この上面の金網パネル３ｆが設けられている場合について説明する。
【００１５】
前記底面の金網パネル３ａと、前面及び後面の金網パネル３ｂ，３ｃと、左面及び右面の金網パネル３ｄ，３ｅとは、各々を個別に形成して相互に連結しても良いが、例えば底面の金網パネル３ａと前面及び後面の金網パネル３ｂ，３ｃとの列線４の向きが互いに同じ向き、即ち図示したように横向きである場合には、これら底面の金網パネル３ａと前面及び後面の金網パネル３ｂ，３ｃとを一連の菱形金網によって一体に形成することもできる。また、互いに別体に形成された金網パネル同士の連結は、各金網パネルの外周を取り囲む針金製のパネル枠５の互いに対応する枠辺同士を、スクリューストッパーのような連結金具で結束することにより行われる。
【００１６】
なお。前記菱形金網は、図４に示すように、針金を扁平螺旋形状に折曲して形成した前記列線４の折曲部４ａを、順次連繋することにより形成されたものである。
【００１７】
前記連結部材２ａ−２ｄは、底面の金網パネル３ａ同士を連結する底面の連結部材２ａと、隣接する蛇篭３の前面の金網パネル３ｂ同士を連結する前面の連結部材２ｂと、後面の金網パネル３ｃ同士を連結する後面の連結部材２ｃと、上面の金網パネル３ｆ同士を連結する上面の連結部材２ｄとを有している。各々の連結部材２ａ−２ｄは、針金を扁平螺旋形状に折曲して形成した複数の連結線条６を有していて、該連結線条６の折曲部６ａを順次連繋することにより菱形金網状に形成され、周囲に外周枠７が取り付けられることにより、パネル状に形成されている。前記連結線条６は、前記蛇篭３の列線４と同じ形態を有するものである。
【００１８】
なお、分かり易くするため、図では、前記連結部材２ａ−２ｄの連結線条６及び外周枠７が、蛇篭３の列線４及びパネル枠５より太く描かれているが、それらの太さは互いに同じである。しかし、図のように前記連結線条６及び外周枠７を列線４及びパネル枠５より太くすることも、細くすることもできる。
【００１９】
前記連結部材２ａ−２ｄの左右方向の長さ、即ち部材長Ｍは、蛇篭３の左右長Ｘより短く、その好ましい長さは、蛇篭３の大きさにもよるが、通常の蛇篭の場合には、該蛇篭３の左右長Ｘの１／２〜１／１０程度である。また、前記連結部材２ａ−２ｄの前記左右方向と直交する方向の幅、即ち部材幅Ｎは、底面及び上面の連結部材２ａ，２ｄの場合は、前記蛇篭３の前後長Ｙとほぼ同程度であり、前面及び後面の連結部材２ｂ，２ｃの場合は、前記蛇篭３の上下長Ｚとほぼ同程度である。しかし、前記連結部材２ａ−２ｄの部材幅Ｎは、前記蛇篭３の前後長Ｙ及び上下長Ｚより短くても構わない。
【００２０】
前記連結部材２ａ−２ｄで隣接する蛇篭３を連結する時は、石詰めする前に、先ず底面の連結部材２ａで、前記隣接する蛇篭３，３の底面の金網パネル３ａ，３ａ同士を連結する。その連結は、図１に、前面の連結部材２ｂで前面の金網パネル３ｂ，３ｂ同士が連結され、上面の連結部材２ｄで上面の金網パネル３ｆ，３ｆ同士を連結されている状態から明らかなように、前記底面の連結部材２ａを、連結線条６の向きが列線４の向きと同じ向きになるような姿勢にして、隣接する底面の金網パネル３ａ，３ａの外面に、該金網パネル３ａ，３ａを左右均等に跨ぐように配設し、該連結部材２ａの一半部側と他半部側とを前記隣接する底面の金網パネル３ａ，３ａの一方と他方とにそれぞれ固定する。
【００２１】
その固定は、前記連結部材２ａの連結線条６の繋止部６ｂと、前記金網パネル３ａの列線４の繋止部４ｂとを、針金等からなる固定金具８で結束したり、前記連結部材２ａの外周枠７を、前記金網パネル３ａの列線４の繋止部４ｂやパネル枠５等に、上記固定金具８で結束することにより行われる。この場合、前記連結線条６の繋止部６ｂと列線４の繋止部４ｂとが重なる部分全てについて前記結束を行う必要はなく、連結に有効な部分ついて選択的に行えば良い。
【００２２】
次に、前面の連結部材２ｂ及び後面の連結部材２ｃで、前記蛇篭３の前面の金網パネル３ｂ，３ｂ同士及び後面の金網パネル３ｃ，３ｃ同士を同様にして連結する。
そして、前記蛇篭３に栗石を充填した後に、前記上面の金網パネル３ｆを取り付け、該上面の金網パネル３ｆ同士を、前記上面の連結部材２ｄで同様にして連結する。
【００２３】
この場合、前記連結部材２ａ−２ｄは、図１に示すように、その網目が蛇篭３の金網パネルの網目とできるだけ一致するように配置することが望ましいが、若干ずれていても構わない。
【００２４】
なお、前記前面の金網パネル３ｂ，３ｂ同士及び後面の金網パネル３ｃ，３ｃ同士の連結は、蛇篭３に栗石を充填した後に行っても良い。また、蛇篭３の設置条件等により、底面の金網パネル３ａ，３ａ同士を連結する必要がない場合や、連結するのが難しい場合には、該底面の金網パネル３ａ，３ａ同士の連結を省略することもできる。
【００２５】
このようにして、隣接する蛇篭３，３の隣接する金網パネルを跨ぐように前記連結部材２ａ−２ｄを配設し、該連結部材２ａ−２ｄを各々の蛇篭３の金網パネルに固定するだけで、隣接する蛇篭３，３同士を簡単且つ強固に連結することができる。
【００２６】
図３は本発明に係る蛇篭用連結装置の第２実施形態を示すもので、この第２実施形態の連結装置１Ｂが前記第１実施形態の連結装置１Ａと相違する点は、蛇篭３に対する連結部材２ａ−２ｄの配設位置と、該連結部材２ａ−２ｄの金網パネル３ａ，３ｂ，３ｃ，３ｆに対する固定方法である。
【００２７】
即ち、図３に前面の連結部材２ｂ及び上面の連結部材２ｄによって隣接する蛇篭３の前面の金網パネル３ｂ，３ｂ同士及び上面の金網パネル３ｆ，３ｆ同士を連結する場合について示され、且つ、図４に前面の連結部材２ｂと前面の金網パネル３ｂとの連結状態が部分拡大図で示されているように、前記連結部材２ｂ，２ｄを、該連結部材２ｂ，２ｄの網目と前記金網パネル３ｂ，３ｆの網目とが左右方向（列線４に沿う方向）に１／２ピッチずれた状態に配設し、該金網パネル３ｂ，３ｆの列線４の折曲部４ａ同士が連繋された連繋部４ｂの位置と、前記連結部材２ｂ，２ｄの連結線条６の折曲部６ａ同士が連繋された連繋部６ｂの位置とに、共通の固定用線条９を、前記列線４及び連結線条６を縫うように螺旋空間内に挿通し、該列線４と連結線条６とに係止させる。これにより、該固定用線条９が、前記金網パネル３ｂ，３ｆと連結部材２ｂ，２ｄとの両方に係止するため、隣接する前記金網パネル３ｂ，３ｆが相互に連結される。
【００２８】
底面の金網パネル３ａ及び後面の金網パネル３ｃに対する前記連結部材２ａ及び２ｃの連結も、前記固定用線条９を用いて同様に行われる。
前記連結部材２ａ−２ｄと各金網パネル３ａ，３ｂ，３ｃ，３ｆとの連結は、少なくとも１本の固定用線条９によって行うことができるが、連結強度を高めるためには、複数の固定用線条９を用いることが望ましい。この固定用線条９は、前記列線４や連結線条６と同様の針金で形成することも、該針金より剛性の大きい棒状あるいは板状をした素材で形成することもできる。
【００２９】
なお、図示した実施形態では、前記連結部材２ａ−２ｄの４辺に外周枠７が取り付けられているが、この外周枠７は無くても良く、あるいは、連結線条６の両端だけに枠片が取り付けられていても良い。
また、蛇篭３に上面の金網パネル３ｆが取り付けられない場合には、該上面の金網パネル３ｆ同士の連結は当然行われないことになる。
更に、蛇篭３の設置場所や設置条件等によって該蛇篭３の前面、後面、底面、上面の全ての金網パネル同士３ａ，３ｂ，３ｃ，３ｆを連結する必要がない場合には、必要とする少なくとも１面だけについて、隣接する金網パネル同士を、対応する前記連結部材２ａ−２ｄで連結することもできる。
【００３０】
図示した実施形態では、前記連結部材２ａ−２ｄの連結線条６として、蛇篭３の列線４と同じものが使用されているが、螺旋のピッチや線径など、前記列線４と形態が異なる連結線条６を使用することもできる。
また、前記連結部材２ａ−２ｄで蛇篭３を連結する場合、前記連結線条６の向きを列線４の向きと必ずしも同じ向きにする必要はなく、該列線４と直交する方向に向けることもできる。要するに、前記連結部材２ａ−２ｄで蛇篭３，３同士を連結することができれば良いのである。
【００３１】
更に、前記連結部材２ａ−２ｄは、前記連結線条６の向きが全て同じ方向を向いている場合、１枚の菱形金網によって一つに連なった状態に一体形成することもできる。あるいは、上面の連結部材２ｄと、前面の連結部材２ｂ及び後面の連結部材２ｃのうちの少なくとも一方とが、相互に連なった状態に形成することもできる。
【００３２】
また、前記連結部材２ａ−２ｄとして、図５に示すように、直交する縦線１０と横線１１との交点１２を溶接して形成した溶接金網で構成したものを用いることもできる。このような溶接金網製の連結部材を使用する場合は、例えば、前記第１実施形態のように、前記縦線１０と横線１１との交点１２と、蛇篭３の列線４の連繋部４ｂとを、針金等の金具で結束して固定することにより、隣接する蛇籠同士を相互に連結することができる。
【００３３】
一方、前記蛇篭３が前述したような溶接金網で形成されていても良く、このような溶接金網製の蛇篭を、前記菱形金網製の連結部材２ａ−２ｄ又は溶接金網製の連結部材で、前述した場合と同様にして連結することができる。
【００３４】
前後方向に隣接する蛇篭３，３同士を相互に連結する場合は、該蛇篭３，３の左面の金網パネル３ｄ，３ｄ同士、右面の金網パネル３ｅ，３ｅ同士、底面の金網パネル３ａ，３ａ同士、及び上面の金網パネル３ｆ，３ｆ同士のうち、少なくとも１面の金網パネル同士が同様にして連結される。
【００３５】
なお、前記実施形態では、角形の蛇篭３の連結について説明したが、本発明は、円筒形をした蛇篭同士の連結にも適用することができる。この場合、該蛇篭と連結部材は共に菱形金網で形成され、矩形状に形成された連結部材は、前記蛇篭の円筒形状に合わせて筒状や半筒状等に折り曲げられる。
【符号の説明】
【００３６】
１Ａ，１Ｂ    連結装置
２      連結部材
２ａ      底面の連結部材
２ｂ      前面の連結部材
２ｃ      後面の連結部材
２ｄ      上面の連結部材
３      蛇篭
３ａ      底面の金網パネル
３ｂ      前面の金網パネル
３ｃ      後面の金網パネル
３ｄ      上面の金網パネル
４      列線
４ａ      折曲部
６      連結線条
６ａ      折曲部
【要約】
【課題】隣接して配置された菱形金網製の蛇篭同士を、簡単かつ強固に連結することができる連結装置を得る。
【解決手段】金網からなる蛇篭３を相互に連結するための連結装置において、該連結装置１Ａは、金網で形成された連結部材２ａ−２ｄを有し、該連結部材２ａ−２ｄは、隣接する蛇篭３，３を跨ぐように配設され、該連結部材２ａ−２ｄの一端側と他端側とが一方の蛇篭３と他方の蛇篭３とにそれぞれ連結されている
【選択図】図１【図１】
0005826335.tif 000002
【図２】
0005826335.tif 000003
【図３】
0005826335.tif 000004
【図４】
0005826335.tif 000005
【図５】
0005826335.tif 000006